(57)【特許請求の範囲】
【請求項１】
複数の鉄筋を束ねて構成される束ね鉄筋からなる主筋をコンクリート構造体に定着させる際に使用される鉄筋定着装置において、
前記主筋の一部が前記コンクリート構造体の表面から突出するように配置され、
該主筋よりも小径の添え鉄筋が、該主筋の断面を含む円形領域内であって該主筋に隣接するように配置され、
前記主筋及び前記添え鉄筋を包囲する形で筒状の定着用管を配置し、
これらの主筋と添え鉄筋と定着用管との間に膨張材を充填し、
前記コンクリート構造体表面に比較的広い面積で接するようにアンカープレートを配置して、前記主筋から前記膨張材を介して前記定着用管に伝達される力が該アンカープレートの接触面を介して前記コンクリート構造体に伝達されるようにした、鉄筋定着装置。
【請求項２】
前記添え鉄筋は、前記コンクリート構造体表面から突出している部分の主筋に、両側から挟み込む形で設置されている、請求項１に記載の鉄筋定着装置。
【請求項３】
前記アンカープレートは、鉄筋貫通穴を有して前記主筋及び前記添え鉄筋との間に比較的大きな隙間を有するように遊嵌され、前記アンカープレートと前記定着用管との間の前記主筋には、該主筋との間の隙間がほとんど無い状態で前記アンカープレート及び前記定着用管に接するようにワッシャーが外嵌された、請求項１記載の鉄筋定着装置。
【請求項４】
前記アンカープレートと主筋の間に、前記膨張材の膨張を吸収する緩衝部材を設けて構成した、請求項１記載の鉄筋定着装置。
【請求項５】
前記緩衝部材は、発泡スチロールである、請求項４記載の鉄筋定着装置。
【請求項６】
複数の鉄筋を束ねて構成される束ね鉄筋からなる主筋を、コンクリート構造体に定着させる際に、前記主筋は前記コンクリート構造体を貫通させ、かつ所定の長さだけ該コンクリート構造体の表面から突出させ、
その状態で、請求項１乃至５のいずれか1項に記載の鉄筋定着装置を用いて前記主筋を前記コンクリート構造体に定着させ、
前記コンクリート構造体の前記主筋貫通方向の厚さを、前記主筋の定着に本来必要な定着長よりも薄くして構成した、鉄筋定着工法。
【請求項７】
前記コンクリート構造体はフーチングである、請求項６記載の鉄筋定着工法。
【請求項８】
前記アンカープレートは、鉄筋貫通穴を有して前記主筋及び前記添え鉄筋との間に比較的大きな隙間を有するように遊嵌され、前記アンカープレートと前記定着用管との間の前記主筋には、該主筋との間の隙間がほとんど無い状態で前記アンカープレート及び前記定着用管に接するようにワッシャーが外嵌された、請求項６又は７に記載の鉄筋定着工法。
【発明の詳細な説明】
【０００１】
【発明の属する技術分野】
本発明は、鉄筋定着装置及び鉄筋定着工法に係わり、特に送電用鉄塔基礎などの杭基礎構造を場所打ち杭で構成する際に適用するに好適な鉄筋定着装置及び鉄筋定着工法に関する。
【０００２】
【従来の技術】
従来、この種の杭を場所打ちコンクリートで構築しようとした場合、杭内に配置される主鉄筋の定着はコンクリートフーチング内で行われていた。従って、主鉄筋の定着長を十分に取るためにはコンクリートフーチングの厚さを十分に厚くする必要があった。
【０００３】
【発明が解決しようとする課題】
しかし、主鉄筋として太径鉄筋を束ねて用いた場合などでは、その定着長は極めて長くなり、そのためにフーチングの厚さも非常に厚くならざるを得ない。これでは、施工に際して多くの材料を使用することとなり、不経済であるばかりか、工期も長くなり、打設されたマスコンクリートにひび割れを生じさせないための対策などにより高度な施工管理が必要となる不都合があった。
【０００４】
また、コンクリートフーチングが厚くなり、大型化すると、地震時には大きな慣性力が場所打ち杭頭部に作用することから、そうした慣性力に対抗するために、杭本数の増加や杭断面積の増加、更には杭の補強筋の増加など基礎構造そのものの補強などが迫られることとなり、多くの問題が生じることとなる。
【０００５】
そこで本発明は上記事情に鑑み、コンクリートフーチング厚などを増大させることなく簡易な構成で太径の束ね鉄筋をフーチングなどに定着することが出来る鉄筋の定着装置及び定着工法を提供することを目的とするものである。
【０００６】
【課題を解決するための手段】
即ち本発明のうち、第１の発明は、複数の鉄筋（５ａ，５ａ）を束ねて構成される束ね鉄筋からなる主筋（５）をコンクリート構造体（２）に定着させる際に使用される鉄筋定着装置（６）において、前記主筋の一部（５ｂ）が前記コンクリート構造体（２）の表面（２ａ）から突出するように配置され、該主筋（５）よりも小径の添え鉄筋（１３）が、該主筋（５）の断面を含む円形領域内であって該主筋（５）に隣接するように配置され、前記主筋（５）及び前記添え鉄筋（１３）を包囲する形で筒状の定着用管（１０）を配置し、これらの主筋（５）と添え鉄筋（１３）と定着用管（１０）との間に膨張材（１１）を充填し、前記コンクリート構造体表面（２ａ）に比較的広い面積で接するようにアンカープレート（７）を配置して、前記主筋（５）から前記膨張材（１１）を介して前記定着用管（１０）に伝達される力が該アンカープレート（７）の接触面を介して前記コンクリート構造体（２）に伝達されるようにしたことを特徴とする。
【０００７】
第２の発明は、前記添え鉄筋（１３）は、前記コンクリート構造体表面（２ａ）から突出している部分の主筋（５ｂ）に、両側から挟み込む形で設置されている、ことを特徴として構成される。
【０００８】
第３の発明は、前記アンカープレート（７）は、鉄筋貫通穴（７ａ）を有して前記主筋（５）及び前記添え鉄筋（１３）との間に比較的大きな隙間を有するように遊嵌され、前記アンカープレート（７）と前記定着用管（１０）との間の前記主筋（５）には、該主筋（５）との間の隙間がほとんど無い状態で前記アンカープレート（７）及び前記定着用管（１０）に接するようにワッシャー（９）が外嵌された、ことを特徴とする．
【０００９】
第４の発明は、前記アンカープレート（７）と主筋（５）の間に、前記膨張材（１１）の膨張を吸収する緩衝部材（１２）を設けて構成される。
【００１０】
第５の発明は、前記緩衝部材（１２）は、発泡スチロールで構成される。
【００１１】
第６の発明は、複数の鉄筋（５ａ、５ａ）を束ねて構成される束ね鉄筋からなる主筋（５）をコンクリート構造体（２）に定着させる際に、前記主筋（５）は前記コンクリート構造体（２）を貫通させ、かつ所定の長さだけ該コンクリート構造体（２）の表面から突出させ、その状態で、請求項１乃至５のいずれか1項に記載の鉄筋定着装置を用いて前記主筋を前記コンクリート構造体（２）に定着させ、前記コンクリート構造体（２）の前記主筋貫通方向の厚さ（Ｌ２）を、前記主筋の定着に本来必要な定着長よりも薄くして構成される。
【００１２】
第７の発明は、前記コンクリート構造体（２）はフーチングで構成される。
【００１３】
第８の発明は、前記アンカープレート（７）は、鉄筋貫通穴（７ａ）を有して前記主筋（５）及び前記添え鉄筋（１３）との間に比較的大きな隙間を有するように遊嵌され、前記アンカープレート（７）と前記定着用管（１０）との間の前記主筋（５）には、該主筋（５）との間の隙間がほとんど無い状態で前記アンカープレート（７）及び前記定着用管（１０）に接するようにワッシャー（９）が外嵌されて構成される。
【００１４】
【発明の効果】
第１及び第２の発明によれば、複数の鉄筋（５ａ、５ａ）の束ね鉄筋からなる主筋（５）を、膨張材（１１）を介して定着用管（１０）で保持することにより、通常のコンクリートと鉄筋との間の定着による場合よりも遙かに強固に鉄筋（５ａ、５ａ）を保持することが出来る。従って、該定着用管（１０）をアンカープレート（７）により適宜、構造物に支持させることにより該構造物による主筋の定着長さをその分短くすることが出来、構造物の前記主筋方向の厚さを主筋（５）の定着に必要な本来の長さよりも大幅に薄くすることが出来る。従って、施工に際して使用するコンクリートなどの材料を少なくすることが出来、経済的であるばかりか、工期も短くなり、主筋を定着する構造物を構築するために打設されたマスコンクリートにひび割れを生じさせないための対策なども軽微なもので済み、施工管理を容易に行うことが出来る。
【００１５】
更に、定着用管（１０）は、主筋（５）を包囲する形で設けられることから、図３横方向、即ち複数の主筋（５）の配置方向における寸法を小型化することが出来、主筋（５）が図２に示すように、狭い間隔で密に配置されていたとしても、鉄筋定着装置を容易に装着することが出来る。
【００１６】
また、コンクリートフーチングなどの主筋を定着させるための構造物が大型化することがないので、地震時に大きな慣性力が該構造物に接続された、前記主筋を有する場所打ち杭頭部などの構造物に作用することが未然に防止される。従って、そうした慣性力に対抗するために、杭本数の増加や杭断面積の増加、更には杭の補強筋の増加など、余計な対策が不要となり、経済的な施工が可能となる
【００１７】
さらに、添え鉄筋（１３，１３）により、主筋（５）の断面をより円形に近いものに補正整形することが出来、膨張材（１１）の膨張に伴う膨張力や主筋（５）が引っ張られることにより生じる引っ張り力を定着用管（１０）が均等に受けることが可能となる。これにより、束ね鉄筋からなる主筋（５）の断面方向に不均等な膨張力や前述の引っ張り力が作用して、定着用管（１０）との間の定着が不安定になることを防止することが出来、高価な膨張材の量を減ずることが可能となるばかりか、信頼性の高い鉄筋定着装置の提供が可能となる。
【００１８】
第３及び第８の発明によれば、ワッシャー（９）を介して定着用管（１０）とアンカープレート（７）を接続することにより、アンカープレートの鉄筋貫通穴（７ａ）を大きくして、主筋の施工誤差を吸収することが出来、アンカープレート（７）の設置作業、従って、鉄筋定着装置の設置作業を容易に行うことが出来る。
【００１９】
第４の発明によると、緩衝部材（１２）により、膨張材（１１）がアンカープレート（７）と主筋（５）の間に入り込んで、硬化膨張した膨張材（１１）が定着用管（１０）を持ち上げてしまうような事態の発生を防止することが出来、信頼性の高い鉄筋定着装置の提供が可能となる。
【００２０】
第５の発明によると、緩衝部材として安価で加工が容易な発泡スチロールを使用することが出来、経済的かつ手間なく現場施工が可能となる。
【００２１】
第６の発明によると、第１の発明と同様な効果を得ることが出来る。特に、コンクリート構造体の主筋貫通方向の厚さを、主筋に本来必要な定着長よりも薄くする事が出来る。
【００２２】
第７の発明によると、コンクリートフーチング厚が大型化することがないので、地震時に大きな慣性力が該フーチングに接続された場所打ち杭頭部などに作用することが未然に防止され、そうした慣性力に対抗するために、杭本数の増加や杭断面積の増加、更には杭の補強筋の増加など、余計な対策が不要となり、経済的な施工が可能となるなお、上述した括弧内の番号等は、図面における対応する要素を示す便宜的なものであり、従って、本記述は図面上の記載に限定拘束されるものではない。
【００２３】
【発明の実施の形態】
以下、本発明の実施の形態を図面に基づき説明する。図１は、送電用鉄塔基礎の一例を示す図であり、（ａ）は平面図、（ｂ）は正面図である。図２は場所打ち杭の一例を示す平面図、図３は鉄筋定着装置の一例を示す図で、（ａ）は平面図、（ｂ）は正面図である。図４はアンカープレートの一例を示す図である。
【００２４】
送電用鉄塔基礎１は、図１に示すように、地盤１５中に構築されたコンクリート製のフーチング２を有しており、フーチング２の図１（ｂ）下方には複数の場所打ち杭３が、フーチング２をそれら場所打ち杭３により支持する形で設けられている。各場所打ち杭３には、複数の主筋５が図中上下方向に設けられており、各主筋５は各場所打ち杭３の上端３ａから図１（ｂ）上部のフーチング２内に伸延貫通し、更に上端５ｂはフーチング２の上面２ａより上方に突出している。
【００２５】
各場所打ち杭３は、図２に示すように、場所打ちコンクリートにより断面が円柱状に形成された杭本体３ｂを有しており、杭本体３ｂには、前述の主筋５が同一円周上に実質的に同一の角度ピッチで多数配置された形で設けられている。各主筋５は、図３に示すように、２本の異形鉄筋５ａが束ねられた形で構成された、いわゆる束ね鉄筋として形成されており、各主筋５の先端には鉄筋定着装置６が装着されている。
【００２６】
鉄筋定着装置６は、フーチング２の上面２ａに設けられた板状のアンカープレート７を有しており、アンカープレート７には、鉄筋貫通穴７ａが１個ないしは２個貫通穿設されている。アンカープレート７の各鉄筋貫通穴７ａには、ワッシャー９を介して長さがＬ３の定着用鋼管１０が、主筋５の先端外周部を取り囲む形で設けられており、主筋５と定着用鋼管１０の間には膨張材１１が注入充填されている。また、アンカープレート７の鉄筋貫通穴７ａと主筋５の間には、発泡スチロールからなる緩衝部材１２が設けられている。
【００２７】
なお、主筋５の上端部５ｂの定着用鋼管１０に包囲された部分には、図３（ａ）に示すように、主筋５を構成する異形鉄筋５ａ、５ａよりも小径な添え鉄筋１３、１３が、異形鉄筋５ａ、５ａの接触部５ｃ部分を両側から挟み込む形で設けられており、添え鉄筋１３、１３は定着用鋼管１０内に配置される主筋５の断面が該添え鉄筋１３、１３により円形に近い形状となるように配置されている。
【００２８】
鉄塔基礎１は以上のような構成を有するので、鉄塔基礎１を構築する場合には、まず、図１に示すように、地盤１５に場所打ち杭３及びフーチング２を場所打ちコンクリートにより構築する。この際、場所打ち杭３の主筋５の上端部５ｂは、フーチング上面２ａよりも所定の定着長Ｌ１以上、上方に突出させた形で構築する。
【００２９】
次に、フーチング上面２ａに突出した各場所打ち杭３の主筋５の上端部５ｂに対して、図２及び図４に示すように、アンカープレート７を、各アンカープレート７の鉄筋貫通穴７ａに、主筋５の先端部５ｂを貫通させる形で設置する。アンカープレート７の各鉄筋貫通穴７ａは、各主筋５の施工誤差を考慮した形で大きめに穿設されているので、アンカープレート７のフーチング上面２ａに対する設置は円滑に行うことが出来る。
【００３０】
アンカープレート７がフーチング上面２ａに設置されたところで、各鉄筋貫通穴７ａと主筋５間に緩衝部材１２を充填配置し、更に、アンカープレート７上に、ワッシャー９を主筋５の上方から挿入し、アンカープレート７に接着する。ワッシャー９の内径は、アンカープレート７の鉄筋貫通穴７ａの内径よりも小さく、また、外径は鉄筋貫通穴７ａの内径よりも大きく形成されているので、各鉄筋貫通穴７ａが、主筋５の施工誤差を考慮した形で大きめに穿設されていたとしても、ワッシャー９とアンカープレート７との間には十分な支圧面積が確保される。
【００３１】
次に、主筋５の接触部５ｃ部分に、添え鉄筋１３，１３を、該接触部５ｃを、図３（ａ）中上下両側から挟み込む形で設置し、その状態で、定着用鋼管１０を、ワッシャー９の上に、鋼管１０内に主筋５を貫通させる形で、図３（ｂ）上方より挿入し、その下面をワッシャー９の上面を介して接着固定する。これにより、鋼管１０の内周面１０ａと添え鉄筋１３，１３が設けられた主筋５の間に膨張材充填空間１６が形成され、当該形成された膨張材充填空間１６に、膨張材１１を充填する。また、定着用鋼管１０の内径は、アンカープレート７の鉄筋貫通穴７ａよりも小径に形成されているが、ワッシャー９により、安定した形でアンカープレート上に搭載支持される。
【００３２】
すると、膨張材充填空間１６に充填された膨張材１１は、膨張固化し、主筋５と膨張材１１間、及び定着用鋼管内周面１０ａと膨張材１１間に大きな膨張圧力が作用し、これにより定着用鋼管１０と主筋５は強固に一体化される。この際、安定した定着を実現するには、膨張材１１の膨張作用に伴う圧力や主筋５の引っ張り時に作用する引っ張り力が定着用鋼管１０の内周面１０ａに対して均等に作用する必要が有るが、主筋５には、既に述べたように、異形鉄筋５ａ、５ａの周囲に更に添え鉄筋１３，１３が配置され、その断面が円形に近い形に補正整形されていることから、膨張材１１による膨張力や主筋５の引っ張り時に作用する引っ張り力は定着用鋼管１０の内周面１０ａに均等に作用し、安定した定着を実現することが出来る。
【００３３】
また、充填された膨張材１１は、緩衝部材１２によりワッシャー９よりも下方にまで充填されることはなく、更に、膨張材１１の凝固膨張に際しても、膨張材１１が図３（ｂ）下方に向けて膨張しても、当該膨張は塑性変形が容易な発泡スチロールなどの材料からなる緩衝部材１２に吸収されるので、膨張材１１の膨張力がフーチング上面２ａに直接作用して、定着用鋼管１０を図中上方に持ち上げてしまうような事態の発生を未然に防止することが出来る。
【００３４】
こうして、膨張材１１を膨張材充填空間１６内に注入充填して固化させ、主筋５と定着用鋼管１０とを一体化した後に、定着用鋼管１０及び主筋５を被覆する形で防錆塗膜１７を、防錆塗料を塗布することにより形成する。この際定着用鋼管１０による主筋５の保持力は膨張材１１の作用により、通常の長さＬ３のコンクリートと主筋５との間に生じる定着力に比して大幅に大きくなるので、フーチング２による主筋５の定着長を大幅に小さくすることが出来、本来必要な定着長に満たない厚さＬ２のフーチング２であっても、主筋５を十分に定着することが出来る。
【００３５】
また、アンカープレート７は、主筋５から膨張材１１を介して定着用鋼管１０に伝達される支圧力をフーチング２側に円滑に伝達することが出来る限り、その形状は任意であり、主筋５の両側から挟み込む形の複数の板部品から構成することも可能であり、必ずしも、鉄筋貫通穴７ａを必要としない。
【００３６】
なお、上述の実施例は、本発明を鉄塔基礎１の場所打ち杭３とフーチング２における、場所打ち杭３の主筋５のフーチング２に対する定着に用いた場合について述べたが、本発明は、場所打ち杭３の主筋５のフーチング２に対する定着に限らず、複数の鉄筋を束ねた束ね鉄筋をフーチングなどのコンクリート構造体に定着させるために使用される限り、どのような場所にでも適用することが出来る。
【図面の簡単な説明】
【図１】    図１は、送電用鉄塔基礎の一例を示す図であり、（ａ）は平面図、（ｂ）は正面図である。
【図２】    図２は場所打ち杭の一例を示す平面図。
【図３】    図３は鉄筋定着装置の一例を示す図で、（ａ）は平面図、（ｂ）は正面図である。
【図４】    図４はアンカープレートの一例を示す図である。
【符号の説明】
２……コンクリート構造体（フーチング）
２ａ……表面（上面）
３……場所打ち杭
５……主筋
５ａ……鉄筋
５ｃ……接触部
６……鉄筋定着装置
７……アンカープレート
７ａ……鉄筋貫通穴
９……ワッシャー
１０……定着用管（定着用鋼管）
１１……膨張材
１２……緩衝部材
１３……添え鉄筋
【図１】
0003800581.tif 000002
【図２】
0003800581.tif 000003
【図３】
0003800581.tif 000004
【図４】
0003800581.tif 000005